(57)【要約】【課題】流れ方向の調整時には通常フィンに沿って流れる空調用空気を特定フィンに沿って流れる空調用空気に収束させ、通風路の閉鎖時には空調用空気がフィン間から漏れ出るのを抑制する。【解決手段】上流側フィン４１，４４のフィン軸４７，５０を通る線を基準線Ｌ０とし、通常上流側フィン４２，４３が特定上流側フィン４１となす角度を第１傾斜角度θ１とし、通常上流側フィン４５が特定上流側フィン４１となす角度を第２傾斜角度θ２とする。通常上流側フィン４２，４３のフィン軸４８，４９は、特定上流側フィン４１のフィン軸４７を通り、かつ基準線Ｌ０に対し第１傾斜角度θ１に応じた角度下流側へ傾斜した第１傾斜線Ｌ２１上に配置される。第２通常上流側フィン４５のフィン軸５１は、隣接通常上流側フィン４４のフィン軸５０を通り、かつ基準線Ｌ０に対し第２傾斜角度θ２に応じた角度下流側へ傾斜した第２傾斜線Ｌ２２上に配置される。【選択図】図６
2014088102.tif 000002
【特許請求の範囲】
【請求項１】
空調用空気の通風路を有するケース内に並設され、フィン軸により前記ケースに対しそれぞれ傾動可能に支持された複数のフィンを有し、
並設方向についての中間部分の１つのフィンを特定フィンとし、残りの複数のフィンを通常フィンとし、
前記通常フィンを、それぞれ下流側ほど前記特定フィンに近づくように、同特定フィンに対し傾斜させた状態で配設し、
前記特定フィン及び前記通常フィンをリンク機構により同期した状態で傾動させることで、前記空調用空気の流れ方向を調整するとともに、前記通風路を閉鎖するようにした空調用レジスタであって、
前記特定フィンの両隣に位置する通常フィンの一方を隣接通常フィンとし、前記特定フィンを挟んで前記隣接通常フィンから遠ざかる側に位置する通常フィンを第１通常フィンとし、前記隣接通常フィンを挟んで前記特定フィンから遠ざかる側に位置する通常フィンを第２通常フィンとし、前記特定フィン及び前記隣接通常フィンの両フィン軸を通る線を基準線とし、前記第１通常フィンが前記特定フィンに対し傾斜する角度を第１傾斜角度とし、前記第２通常フィンが前記特定フィンに対し傾斜する角度を第２傾斜角度とした場合、
前記第１通常フィンのフィン軸は、前記特定フィンのフィン軸を通り、かつ前記基準線に対し前記第１傾斜角度に応じた角度だけ下流側へ傾斜した第１傾斜線上に配置され、
前記第２通常フィンのフィン軸は、前記隣接通常フィンのフィン軸を通り、かつ前記基準線に対し前記第２傾斜角度に応じた角度だけ下流側へ傾斜した第２傾斜線上に配置されていることを特徴とする空調用レジスタ。
【請求項２】
前記第１通常フィンは複数設けられており、
前記第１通常フィン毎に前記第１傾斜角度が設定されており、
前記第１通常フィン毎のフィン軸は、前記特定フィンのフィン軸を通り、かつ前記基準線に対し、自身の前記第１傾斜角度に応じた角度だけ下流側へ傾斜した前記第１傾斜線上に配置されている請求項１に記載の空調用レジスタ。
【請求項３】
前記第２通常フィンは複数設けられており、
前記第２通常フィン毎に前記第２傾斜角度が設定されており、
前記第２通常フィン毎のフィン軸は、前記隣接通常フィンのフィン軸を通り、かつ前記基準線に対し、自身の前記第２傾斜角度に応じた角度だけ下流側へ傾斜した前記第２傾斜線上に配置されている請求項１又は２に記載の空調用レジスタ。
【請求項４】
前記第１傾斜線は、前記基準線に対し前記第１傾斜角度と同じ角度だけ下流側へ傾斜し、
前記第２傾斜線は、前記基準線に対し前記第２傾斜角度と同じ角度だけ下流側へ傾斜している請求項１〜３のいずれか１つに記載の空調用レジスタ。
【発明の詳細な説明】
【技術分野】
【０００１】
本発明は、空調装置から送られてきて室内に吹き出す空調用空気の向きをフィンにより調整する空調用レジスタに関し、より詳しくは、フィンにより通風路を閉鎖する構造を有する空調用レジスタに関するものである。
【背景技術】
【０００２】
空調装置から送られてきて車室内に吹き出す空調用空気の向きを調整等するための空調用レジスタの一形態として、フィンによって通風路を閉鎖する構造を有するものが例えば特許文献１及び特許文献２に記載されている。
【０００３】
この空調用レジスタは、空調用空気の通風路を有するケースと、複数のフィンとを備えている。複数のフィンは、ケース内に互いに平行となるように並設されていて、フィン軸によりケースの壁部に対し、それぞれ傾動可能に支持されている。フィン毎のフィン軸は、同一直線上に配置されている。各フィンはリンク機構によって連結されていて、１つのフィンが傾動されると、その傾動がリンク機構を通じて他のフィンに伝達され、全てのフィンが互いに平行な状態を維持しながら同期して傾動される。
【０００４】
上記空調用レジスタでは、空調用空気は、フィンに沿うことで流れ方向を変えられた後、ケースから吹き出す。
ところで、近年、空調用レジスタでは、空調用空気のケースからの吹き出し速度（流速）を高め、ケースから遠く離れた箇所まで空調用空気を流れさせる（到達距離を長くする）ために、図２２において実線で示す構造が考えられている。この空調用レジスタでは、並設方向についての中央部のフィンが特定フィン１０１とされ、残りの複数のフィンが通常フィン１０２，１０３，１０４，１０５とされる。空調用空気Ａの流れ方向の調整時には、特定フィン１０１よりも上側の２つの通常フィン１０２，１０３が、下流側ほど特定フィン１０１に上方から近づくように、同特定フィン１０１に対し傾斜させられる。ここで、特定フィン１０１に平行な直線Ｌ１１に対し、通常フィン１０２，１０３を通る直線Ｌ１２のなす角を第１傾斜角度θ１とすると、通常フィン１０２，１０３は特定フィン１０１に対し第１傾斜角度θ１だけ傾斜させられる。
【０００５】
また、特定フィン１０１よりも下側の２つの通常フィン１０４，１０５が、下流側ほど特定フィン１０１に下方から近づくように、同特定フィン１０１に対し傾斜させられる。ここで、上記直線Ｌ１１に対し、通常フィン１０４，１０５を通る直線Ｌ１３のなす角を第２傾斜角度θ２とすると、通常フィン１０４，１０５は特定フィン１０１に対し第２傾斜角度θ２だけ傾斜させられる。
【０００６】
この空調用レジスタによれば、特定フィン１０１よりも上側の２つの通常フィン１０２，１０３に沿って流れる空調用空気Ａは、特定フィン１０１に沿って流れる空調用空気Ａに上側から収束させられる。また、特定フィン１０１よりも下側の２つの通常フィン１０４，１０５に沿って流れる空調用空気Ａは、特定フィン１０１に沿って流れる空調用空気Ａに下側から収束させられる。
【先行技術文献】
【特許文献】
【０００７】
【特許文献１】特開２０１０−８９５２９号公報
【特許文献２】特開２０１１−２２５１８３号公報
【発明の概要】
【発明が解決しようとする課題】
【０００８】
ところが、通常フィン１０２〜１０５の上記レイアウトに関する構造を、全てのフィン（特定フィン１０１、通常フィン１０２〜１０５）によって通風路１０６を閉鎖するタイプの空調用レジスタに適用すると、通風路１０６を閉鎖しようとした場合に次に示す問題が起こる。これは、特定フィン１０１よりも上側の通常フィン１０２，１０３と、下側の通常フィン１０４，１０５とでは、特定フィン１０１に対し互いに反対方向へ傾斜させられていることによる。そのため、例えば、図２２において二点鎖線で示すように、特定フィン１０１よりも上側の通常フィン１０２，１０３を、互いに接触又は接近する位置まで傾動させた場合、特定フィン１０１とその隣の通常フィン１０４との間や、特定フィン１０１よりも下側の通常フィン１０４，１０５の間に隙間が生じ、これらの隙間から空調用空気Ａが漏れ出る。また、図示はしないが、上記とは逆に、下側の２つの通常フィン１０４，１０５を、互いに接触又は接近する位置まで傾動させようとすると、特定フィン１０１とその隣の通常フィン１０３とが干渉したり、特定フィン１０１よりも上側の２つの通常フィン１０２，１０３が互いに干渉したりする。その結果、通常フィン１０４，１０５を、通常フィン１０２，１０３が互いに接触又は接近する位置までしか傾動させることができず、上述したように特定フィン１０１と通常フィン１０４との間や、通常フィン１０４，１０５間に隙間が生ずることとなる。
【０００９】
本発明は、このような実情に鑑みてなされたものであって、その目的は、空調用空気の流れ方向の調整時には、通常フィンに沿って流れる空調用空気を、特定フィンに沿って流れる空調用空気に収束させることができ、通風路の閉鎖時には空調用空気がフィン間から漏れ出るのを抑制することのできる空調用レジスタを提供することにある。
【課題を解決するための手段】
【００１０】
上記課題を解決する空調用レジスタは、空調用空気の通風路を有するケース内に並設され、フィン軸により前記ケースに対しそれぞれ傾動可能に支持された複数のフィンを有し、並設方向についての中間部分の１つのフィンを特定フィンとし、残りの複数のフィンを通常フィンとし、前記通常フィンを、それぞれ下流側ほど前記特定フィンに近づくように、同特定フィンに対し傾斜させた状態で配設し、前記特定フィン及び前記通常フィンをリンク機構により同期した状態で傾動させることで、前記空調用空気の流れ方向を調整するとともに、前記通風路を閉鎖するようにした空調用レジスタであって、前記特定フィンの両隣に位置する通常フィンの一方を隣接通常フィンとし、前記特定フィンを挟んで前記隣接通常フィンから遠ざかる側に位置する通常フィンを第１通常フィンとし、前記隣接通常フィンを挟んで前記特定フィンから遠ざかる側に位置する通常フィンを第２通常フィンとし、前記特定フィン及び前記隣接通常フィンの両フィン軸を通る線を基準線とし、前記第１通常フィンが前記特定フィンに対し傾斜する角度を第１傾斜角度とし、前記第２通常フィンが前記特定フィンに対し傾斜する角度を第２傾斜角度とした場合、前記第１通常フィンのフィン軸は、前記特定フィンのフィン軸を通り、かつ前記基準線に対し前記第１傾斜角度に応じた角度だけ下流側へ傾斜した第１傾斜線上に配置され、前記第２通常フィンのフィン軸は、前記隣接通常フィンのフィン軸を通り、かつ前記基準線に対し前記第２傾斜角度に応じた角度だけ下流側へ傾斜した第２傾斜線上に配置されている。
【００１１】
上記の構成によれば、空調用空気の流れ方向の調整時には、第１通常フィンは、下流側ほど特定フィンに近づくように、同特定フィンに対し傾斜させられる。また、隣接通常フィン及び第２通常フィンは、下流側ほど特定フィンに近づくように、同特定フィンに対し、第１通常フィンとは反対側から傾斜させられる。そのため、第１通常フィンに沿って流れる空調用空気は、特定フィンに沿って流れる空調用空気に収束させられる。また、隣接通常フィン及び第２通常フィンに沿って流れる空調用空気は、特定フィンに沿って流れる空調用空気に対し、上記第１通常フィンに沿って流れる空調用空気とは反対側から収束させられる。このように収束させられた空調用空気は、ケースから早い流速で吹き出すとともに、ケースから遠く離れた箇所まで流れる（到達距離が長くなる）。
【００１２】
また、第１通常フィンのフィン軸が第１傾斜線上に配置され、第２通常フィンのフィン軸が第２傾斜線上に配置されている。このことから、通風路の閉鎖時には、第１通常フィン及び第２通常フィンは、全てのフィン軸が同一直線上に配置された場合とは異なる挙動を示す。
【００１３】
すなわち、全てのフィン軸が同一直線上に配置された場合、隣り合うフィンが互いに接触又は接近する位置まで傾動されたとき、特定フィンとその隣の第１通常フィンとの間や、隣り合う２つの第１通常フィンの間に生ずる隙間の大きさと、特定フィンと隣接通常フィンとの間や、隣接通常フィンとその隣の第２通常フィンとの間に生ずる隙間の大きさとが異なる。これは、第１通常フィンと、隣接通常フィン及び第２通常フィンとが特定フィンに対し互いに反対方向へ傾斜させられていることによる。
【００１４】
しかし、フィン軸が上記第１傾斜線上又は第２傾斜線上に配置されることにより、すなわち、基準線よりも下流側に配置されることにより、隣り合うフィンが互いに接触又は接近する位置まで傾動された場合に、上記隙間についての大きさがフィン間で同程度となる。その結果、通風路の封鎖時に、隣り合うフィン間で生ずる隙間を小さくし、隙間から空調用空気が漏れ出る現象を抑制することが可能となる。
【００１５】
上記空調用レジスタにおいて、前記第１通常フィンは複数設けられており、前記第１通常フィン毎に前記第１傾斜角度が設定されており、前記第１通常フィン毎のフィン軸は、前記特定フィンのフィン軸を通り、かつ前記基準線に対し、自身の前記第１傾斜角度に応じた角度だけ下流側へ傾斜した前記第１傾斜線上に配置されていることが好ましい。
【００１６】
上記の構成によれば、複数の第１通常フィンについて、第１通常フィン毎に第１傾斜角度が設定される。そのため、複数の第１通常フィンに共通の第１傾斜角度が設定される場合よりも、各第１通常フィンを、より適した傾きで特定フィンに対し傾斜させることが可能となる。これに伴い、各第１通常フィンに沿って流れる空調用空気を、特定フィンに沿って流れる空調用空気に対し、より好適な態様で収束させ、空調用空気の流速や到達距離をより好適なものにすることが可能となる。
【００１７】
なお、第１通常フィン毎のフィン軸は、特定フィンのフィン軸を通り、かつ基準線に対し、自身の第１傾斜角度に応じた角度だけ下流側へ傾斜した第１傾斜線上に配置される。このことから、通風路の閉鎖時には、隣り合う第１通常フィンの間に生ずる隙間を小さくし、隙間から空調用空気が漏れ出る現象を抑制することが可能である。
【００１８】
上記空調用レジスタにおいて、前記第２通常フィンは複数設けられており、前記第２通常フィン毎に前記第２傾斜角度が設定されており、前記第２通常フィン毎のフィン軸は、前記隣接通常フィンのフィン軸を通り、かつ前記基準線に対し、自身の前記第２傾斜角度に応じた角度だけ下流側へ傾斜した前記第２傾斜線上に配置されていることが好ましい。
【００１９】
上記の構成によれば、複数の第２通常フィンについて、第２通常フィン毎に第２傾斜角度が設定される。そのため、複数の第２通常フィンに共通の第２傾斜角度が設定される場合よりも、各第２通常フィンを、より適した傾きで特定フィンに対し傾斜させることが可能となる。これに伴い、各第２通常フィンに沿って流れる空調用空気を、特定フィンに沿って流れる空調用空気に対し、より好適な態様で収束させ、空調用空気の流速や到達距離をより好適なものとすることが可能である。
【００２０】
なお、第２通常フィン毎のフィン軸は、隣接通常フィンのフィン軸を通り、かつ基準線に対し、自身の第２傾斜角度に応じた角度だけ下流側へ傾斜した第２傾斜線上に配置される。このことから、通風路の閉鎖時には、隣り合う第２通常フィンの間に生ずる隙間を小さくし、隙間から空調用空気が漏れ出る現象を抑制することが可能である。
【００２１】
上記空調用レジスタにおいて、前記第１傾斜線は、前記基準線に対し前記第１傾斜角度と同じ角度だけ下流側へ傾斜し、前記第２傾斜線は、前記基準線に対し前記第２傾斜角度と同じ角度だけ下流側へ傾斜していることが好ましい。
【００２２】
上記の構成によれば、第１通常フィンのフィン軸が上記の条件を満たす第１傾斜線上に配置されることで、通風路の閉鎖時に、特定フィンとその隣の第１通常フィンとの間の隙間や、隣り合う第１通常フィン間の隙間が最小となり、同隙間から漏れ出る空調用空気の量を最少とすることが可能となる。
【００２３】
また、第２通常フィンのフィン軸が上記の条件を満たす第２傾斜線上に配置されることで、通風路の閉鎖時に、特定フィンと隣接通常フィンとの間の隙間や、隣接通常フィンとその隣の第２通常フィンとの間の隙間が最小となり、同隙間から漏れ出る空調用空気の量を最少とすることが可能となる。
【発明の効果】
【００２４】
上記空調用レジスタによれば、空調用空気の通風方向の調整時には、通常フィンに沿って流れる空調用空気を、特定フィンに沿って流れる空調用空気に収束させることができ、通風路の閉鎖時には空調用空気がフィン間の隙間から漏れ出るのを抑制することができる。
【図面の簡単な説明】
【００２５】
【図１】空調用レジスタの一実施形態において、各上流側フィンが略水平状態にされた空調用レジスタを示す斜視図。
【図２】図１の空調用レジスタの分解斜視図。
【図３】特定上流側フィンを構成するフィン本体及び伝達体と、これらが組付けられるケース（上流側リテーナ）の一部とを示す部分分解斜視図。
【図４】特定上流側フィンの斜視図。
【図５】図１の空調用レジスタの側面図。
【図６】（Ａ）は図５から上流側フィンを取り出して示す側断面図、（Ｂ）は（Ａ）からフィン軸を取り出して、それらの位置関係を示す側断面図。
【図７】図１の７−７線断面図。
【図８】図７の８−８線断面図。
【図９】図７の９−９線断面図。
【図１０】図７の１０−１０線断面図。
【図１１】フィン本体が略水平状態にされた特定上流側フィンを操作ノブとともに示す部分側面図。
【図１２】図７に対応する図であり、上流側フィンが下流側ほど高くなるように傾斜させられた空調用レジスタの内部構造を示す側断面図。
【図１３】フィン本体が下流側ほど高くなるように傾斜させられたときの各上流側フィン及びリンク機構の状態を示す部分側面図。
【図１４】フィン本体が下流側ほど高くなるように傾斜させられた特定上流側フィンを操作ノブとともに示す部分側面図。
【図１５】図７に対応する図であり、フィン本体が下流側ほど低くなるように傾斜させられた空調用レジスタの内部構造を示す側断面図。
【図１６】フィン本体が下流側ほど低くなるように傾斜させられたときの各上流側フィン及びリンク機構の状態を示す部分側面図。
【図１７】フィン本体が下流側ほど低くなるように傾斜させられた特定上流側フィンを操作ノブとともに示す部分側面図。
【図１８】図７に対応する図であり、通風路が上流側フィンによって閉鎖された空調用レジスタの内部構造を示す側断面図。
【図１９】通風路が閉鎖されたときの各上流側フィン及びリンク機構の状態を示す部分側面図。
【図２０】通風路が閉鎖されたときの特定上流側フィンを操作ノブとともに示す部分側面図。
【図２１】操作ノブがスライド操作された場合の作用を説明する図であり、支軸周りでの伝達軸部の旋回角度γと、フィン軸周りでの伝達軸部の旋回角度δとを比較して示す部分側面図。
【図２２】上流側フィンのフィン軸が同一直線上に配列された従来技術を示す図であり、通風路が開放されたときの各上流側フィンの状態を、閉鎖されたときの各上流側フィンの状態とともに示す側断面図。
【発明を実施するための形態】
【００２６】
以下、空調用レジスタの一実施形態について、図１〜図２１を参照して説明する。この空調用レジスタは車両に用いられるものであり、横方向の寸法が縦方向の寸法よりも小さな薄型の形状をなしている。
【００２７】
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００２８】
車室内において、車両の前席（運転席及び助手席）の前方にはインストルメントパネルが設けられ、その車幅方向についての中央部、側部等には本実施形態の空調用レジスタが組込まれている。この空調用レジスタの主な機能は、一般的な非薄型の空調用レジスタと同様、空調装置から送られてきて車室内に吹き出す空調用空気の向き（吹き出し方向）を調整すること、空調用空気の吹き出しを遮断すること等である。
【００２９】
図１及び図２に示すように、空調用レジスタは、ケース１０、下流側フィン群、上流側フィン群、操作ノブ７０及びリンク機構７５を備えている。次に、空調用レジスタを構成する各部について説明する。
【００３０】
＜ケース１０＞
ケース１０は、空調装置の通風ダクト（図示略）と、インストルメントパネルに設けられた開口（図示略）とを繋ぐためのものであり、上流側リテーナ１１、下流側リテーナ１２及びベゼル１３を備えている。ケース１０は、両端が開放され、かつ横方向の寸法が縦方向の寸法よりも小さな略四角筒状をなしている。このケース１０の内部空間は、空調用空気Ａの流路（以下「通風路２０」という）とされている。
【００３１】
ここで、上記通風路２０での空調用空気Ａの通風方向に直交する面上において、互いに直交する２方向の一方を第１方向とし、他方を第２方向とする。本実施形態では、上下方向を第１方向とし、車幅方向（左右方向）を第２方向としている。なお、本明細書では、「通風方向」は、下流側フィン群及び上流側フィン群によって向きを変えられる前に空調用空気Ａが流れる方向をいうものとする。また、空調用レジスタの各部の位置関係を説明するに当たり、通風路２０の中央部を基準とし、中央部に近づく側を「内側」、「内方」等といい、中央部から遠ざかる側を「外側」、「外方」等というものとする。
【００３２】
上流側リテーナ１１は、ケース１０の最上流側部分を構成する部材である。下流側リテーナ１２は、上流側リテーナ１１の下流側に配置されており、自身の上流側端部において上流側リテーナ１１の下流側端部に連結されている。ベゼル１３は、空調用レジスタの意匠面を構成する部材であり、ケース１０の最下流部に位置し、下流側リテーナ１２に下流側から連結されている。ベゼル１３は縦長の略四角枠状をなしており、空調用空気Ａの吹出口１４を有している。
【００３３】
上記通風路２０は、ケース１０の４つの壁部によって取り囲まれている。これらの４つの壁部は、互いに平行な状態で第２方向（左右方向）に相対向する一対の第１壁部２１と、互いに平行な状態で第１方向（上下方向）に相対向する一対の第２壁部２２とからなる。
【００３４】
図５に示すように、上側の第２壁部２２の下流端は、下側の第２壁部２２の下流端よりも上流側に位置している。従って、ベゼル１３及び吹出口１４は、下側ほど下流側に位置するように両第２壁部２２に対し傾斜していることとなる。
【００３５】
図２及び図７に示すように、上側の第２壁部２２において、吹出口１４から上流側へ僅かに離れた箇所には下流側軸受部２４が設けられている。また、下側の第２壁部２２において、吹出口１４から上流側へ僅かに離れた２箇所には、下流側軸受部２５がそれぞれ設けられている。両下流側軸受部２５は、第２方向（左右方向）については、中央部と、一方（図１の右方）の第１壁部２１の近傍とに設けられている。
【００３６】
各第１壁部２１の複数箇所には上流側軸受部２６が設けられている。第１壁部２１毎の複数の上流側軸受部２６は、通風方向については、上流側リテーナ１１と下流側リテーナ１２との境界部分に位置し、第１方向（上下方向）については、互いに略等間隔で離れた箇所に位置している。
【００３７】
＜下流側フィン群＞
図２、図８〜図１０に示すように、下流側フィン群は、少なくとも第１方向（上下方向）へ延びる下流側フィン３１と、第１方向（上下方向）及び通風方向にそれぞれ延びる下流側フィン３２とからなる。下流側フィン３２は、通風方向よりも第１方向（上下方向）に細長い板状をなしている。各下流側フィン３１，３２は、第１方向（上下方向）についての両方の端面から外方へ向けて突出する支軸３３を有している。下流側フィン３１，３２毎の両支軸３３は、上記下流側軸受部２４，２５により両第２壁部２２に対し、第２方向（左右方向）への傾動可能に支持されている。
【００３８】
図２及び図７に示すように、各下流側フィン３１，３２の上部において、上記支軸３３から上流側へ偏倚した箇所には、上方へ延びる連結軸３４が設けられている。下流側フィン３１，３２毎の連結軸３４は、第２方向（左右方向）に延びる長尺状の下流側連結ロッド３５によって連結されている。そして、これらの下流側フィン３１，３２、支軸３３、連結軸３４、下流側連結ロッド３５等により、下流側フィン３１を下流側フィン３２に同期した状態で傾動させるリンク機構が構成されている。
【００３９】
下流側フィン３２において、その長さ方向についての中間部にはゴム状弾性体３６が取付けられている。ゴム状弾性体３６は、後述する操作ノブ７０に接触することにより、同操作ノブ７０のスライド操作時に操作荷重を付与するためのものである。
【００４０】
＜上流側フィン群＞
上流側フィン群は、１つの特定上流側フィン４１と、複数（４つ）の通常上流側フィンとからなる。これらの特定上流側フィン４１及び通常上流側フィンは、上記両下流側フィン３１，３２よりも上流側において、第１方向（上下方向）に配列されている。特定上流側フィン４１は、通風路２０において第１方向（上下方向）についての中央部に配置されている。
【００４１】
複数の上記通常上流側フィンを区別するために、特定上流側フィン４１の上下両隣に位置する通常上流側フィンの一方（ここでは、下方の通常上流側フィン）を隣接通常上流側フィン４４という。上記特定上流側フィン４１を挟んで隣接通常フィン４４から遠ざかる側に位置する通常上流側フィン、すなわち、特定上流側フィン４１よりも上側に位置する２つの通常上流側フィンを第１通常上流側フィン４２，４３という。また、隣接通常上流側フィン４４を挟んで特定上流側フィン４１から遠ざかる側に位置する１つの通常上流側フィン、すなわち、隣接通常上流側フィン４４よりも下側に位置する１つの通常上流側フィンを第２通常上流側フィン４５というものとする。
【００４２】
なお、第１通常上流側フィン４２，４３、隣接通常上流側フィン４４及び第２通常上流側フィン４５を特に区別する必要がない場合には、これらを単に「通常上流側フィン４２〜４５」と記載するものとする。また、特定上流側フィン４１及び上記通常上流側フィン４２〜４５を特に区別する必要がない場合には、これらを単に「上流側フィン４１〜４５」と記載するものとする。
【００４３】
特定上流側フィン４１及び各通常上流側フィン４２〜４５は、基本構造として、第２方向（左右方向）及び通風方向にそれぞれ延びる板状部４６を有している。各板状部４６は、第２方向（左右方向）にも通風方向にも同程度の寸法を有している。
【００４４】
各板状部４６の第２方向（左右方向）についての両方の端面からは、フィン軸がそれぞれ同方向についての外方に向けて突出している。ここで、各フィン軸を区別するために、特定上流側フィン４１に対応するものをフィン軸４７といい、各通常上流側フィン４２〜４５に対応するものを、それぞれフィン軸４８，４９，５０，５１というものとする。
【００４５】
各フィン軸４７〜５１は、通風方向については、各板状部４６の略中央部に位置している。特定上流側フィン４１の両フィン軸４７、及び各通常上流側フィン４２〜４５の両フィン軸４８〜５１は、上述した上流側軸受部２６により両第１壁部２１に対し、第１方向（上下方向）への傾動可能に支持されている。
【００４６】
図３及び図４に示すように、特定上流側フィン４１は、フィン本体５４及び伝達体６０からなる。表現を変えると、上記通常上流側フィン４２〜４５がそれぞれ一部品からなるのに対し、特定上流側フィン４１は、フィン本体５４及び伝達体６０に分割されている。フィン本体５４は、上記板状部４６及びフィン軸４７に加え、一対の突片５５及び一対の係合部を有している。板状部４６の下流端には、上流側へ向けて凹む凹部５６が形成されている。この凹部５６は、後述する操作ノブ７０が下流側フィン３２に沿って略上下方向へスライド操作された場合に、フォーク部７１の板状部４６との干渉を回避するために設けられている。
【００４７】
両突片５５は、板状部４６の第２方向（左右方向）についての両側部に設けられている。両突片５５は、板状部４６においてフィン軸４７よりも下流側となる箇所から上方へ突出している。各係合部は、上記突片５５の下流端上部から第２方向（左右方向）についての外方へ突出する係合突部５７によって構成されている。
【００４８】
伝達体６０は、ケース１０の各第１壁部２１の内側近傍に配置されて上記板状部４６を第２方向（左右方向）についての両側から挟み込む一対の傾動板部６１を備えている。両傾動板部６１は、それらの下流端部間に配置されて第２方向（左右方向）へ延びる伝達軸部６２によって相互に連結されている。表現を変えると、伝達軸部６２は、両傾動板部６１の下流端部間に架設されている。フィン本体５４が伝達体６０に組付けられた状態（図４参照）では、伝達軸部６２はフィン本体５４よりも下流側に位置する。
【００４９】
各傾動板部６１の上流端には、同傾動板部６１から第２方向（左右方向）についての外方へ突出する支軸６３が設けられている。そして、伝達体６０は、フィン本体５４のフィン軸４７から上流側へ偏倚した箇所で上記両支軸６３によりケース１０の両第１壁部２１に傾動可能に支持されている。
【００５０】
各傾動板部６１において、伝達軸部６２と支軸６３との間には、被係合部としての長孔６４があけられている。各長孔６４は支軸６３に向けて延びており、この長孔６４に上記係合突部５７が移動可能に係合されている。上記係合突部５７の長孔６４との係合により、フィン本体５４が伝達体６０に駆動連結されている。そのため、伝達体６０の支軸６３を支点とする傾動が係合突部５７（係合部）及び長孔６４（被係合部）を介してフィン本体５４に伝達される。この伝達により、フィン本体５４が両フィン軸４７を支点として傾動させられる。
【００５１】
また、各傾動板部６１において、上記支軸６３と長孔６４との間には、同傾動板部６１の上端縁から下方へ円弧状に延びる切欠き部６５が設けられており、ここに上記フィン本体５４のフィン軸４７が移動可能に配置されている。切欠き部６５は、フィン軸４７と傾動板部６１との干渉を回避するためのものである。
【００５２】
さらに、図６（Ａ）には、図５から上流側フィン４１〜４５が取り出されて示されている。図５及び図６（Ａ）に示すように、上記通常上流側フィン４２〜４５は、それぞれ下流側ほど特定上流側フィン４１に近づくように、同特定上流側フィン４１に対し傾斜した状態で配設されている。すなわち、空調用空気Ａの流れ方向の調整時には、第１通常上流側フィン４２，４３は、下流側ほど特定上流側フィン４１に対し上方から近づくように、同特定上流側フィン４１に対し傾斜させられる。ここで、第１通常上流側フィン４２，４３が特定上流側フィン４１に対し傾斜する角度を第１傾斜角度θ１とする。表現を変えると、通風方向について特定上流側フィン４１に平行な直線Ｌ１１に対し、第１通常上流側フィン４２，４３をそれぞれ通る直線Ｌ１２のなす角が、第１傾斜角度θ１である。
【００５３】
また、隣接通常上流側フィン４４及び第２通常上流側フィン４５は、下流側ほど特定上流側フィン４１に下方から近づくように、同特定上流側フィン４１に対し、上記第１通常上流側フィン４２，４３とは反対側から傾斜させられる。ここで、隣接通常上流側フィン４４及び第２通常上流側フィン４５が特定上流側フィン４１に対し傾斜する角度を第２傾斜角度θ２とする。表現を変えると、上記直線Ｌ１１に対し、通風方向について隣接通常上流側フィン４４及び第２通常上流側フィン４５をそれぞれ通る直線Ｌ１３のなす角が、第２傾斜角度θ２である。
【００５４】
さらに、図６（Ｂ）には、図６（Ａ）中のフィン軸４７〜５１が取り出されて、それらの位置関係が示されている。図６（Ａ），（Ｂ）に示すように、特定上流側フィン４１及び隣接通常上流側フィン４４の両フィン軸４７，５０を通る線を基準線Ｌ０とする。
【００５５】
特定上流側フィン４１のフィン軸４７を通り、かつ基準線Ｌ０に対し上記第１傾斜角度θ１に応じた角度（ここでは同一の角度）だけ下流側（図６（Ａ），（Ｂ）の左側）へ傾斜した直線を第１傾斜線Ｌ２１という。隣接通常上流側フィン４４のフィン軸５０を通り、かつ基準線Ｌ０に対し上記第２傾斜角度θ２に応じた角度だけ上記下流側へ傾斜した直線を第２傾斜線Ｌ２２というものとする。
【００５６】
第１通常上流側フィン４２，４３のフィン軸４８，４９は上記第１傾斜線Ｌ２１上に配置されている。従って、フィン軸４８，４９は、基準線Ｌ０よりも下流側へ偏倚した箇所に位置している。また、第２通常上流側フィン４５のフィン軸５１は第２傾斜線Ｌ２２上に配置されている。従って、フィン軸５１は、基準線Ｌ０よりも下流側へ偏倚した箇所に位置している。
【００５７】
なお、図６（Ｂ）において、隣り合うフィン軸４７〜５１間を繋ぐ屈曲状の太線は、連結ロッド７８に相当する。
＜操作ノブ７０＞
図１及び図７に示すように、操作ノブ７０は、吹出口１４からの空調用空気Ａの吹き出し方向を調整する際に乗員によって操作される部材である。操作ノブ７０の主要部は本体部７２によって構成されており、この本体部７２は、上記下流側フィン３２上に、その長さ方向（略第１方向）へのスライド可能に外嵌されている。本体部７２は、下流側フィン３２と一緒に、上下両支軸３３を支点として第２方向（左右方向）へ傾動（旋回）可能であり、また、下流側フィン３２上をスライドすることで、その下流側フィン３２の長さ方向へ変位可能である。
【００５８】
本体部７２の上流端には、上流側へ向けて延びる一対のフォーク部７１が一体形成されている。両フォーク部７１は、略第１方向（略上下方向）へ互いに一定間隔離れている。両フォーク部７１の間隔は、上記特定上流側フィン４１の伝達軸部６２の直径よりも僅かに大きく設定されている。両フォーク部７１は、操作ノブ７０の略第１方向（略上下方向）への動き（スライド）を伝達軸部６２を通じて特定上流側フィン４１に伝達するためのものであり、同伝達軸部６２を略第１方向（略上下方向）についての両側から挟み込んでいる。
【００５９】
両フォーク部７１の略第１方向（略上下方向）についての寸法は、本体部７２よりも小さい。両フォーク部７１の第２方向（左右方向）についての寸法は、本体部７２と同程度である。両フォーク部７１の通風方向についての寸法（長さ）は、本体部７２の上下位置に拘わらず常に伝達軸部６２を挟み込むのに必要な長さ（伝達軸部６２から外れない長さ）に設定されている。
【００６０】
操作ノブ７０は、通常可動領域Ｒ１と特定可動領域Ｒ２とにおいてスライド操作可能である。通常可動領域Ｒ１は、上流側フィン４１〜４５を傾動させて空調用空気Ａの流れ方向を調整する際に操作ノブ７０がスライド操作される領域である。特定可動領域Ｒ２は、上流側フィン４１〜４５によって通風路２０を閉鎖する際に操作ノブ７０がスライド操作される領域である。なお、図７での通常可動領域Ｒ１及び特定可動領域Ｒ２は、本体部７２の長さ方向（略第１方向）についての中央部が変位する領域として示されている。後述する図１２、図１５及び図１８についても同様である。
【００６１】
＜リンク機構７５＞
図１及び図５に示すように、リンク機構７５は、全ての通常上流側フィン４２〜４５を特定上流側フィン４１に動力伝達可能に連結し、特定上流側フィン４１に同期した状態で全ての通常上流側フィン４２〜４５を傾動させるための機構である。
【００６２】
特定上流側フィン４１の一方（図１の右方）のフィン軸４７の一部と、各通常上流側フィン４２〜４５の一方（図１の右方）のフィン軸４８〜５１の一部とは、それぞれ第１壁部２１から第２方向（左右方向）についての外方へ突出している。各フィン軸４７〜５１の外端部には、同フィン軸４７〜５１を起点として、同フィン軸４７〜５１に直交する方向へ延びる長尺状のアーム７６が一体に形成されている。各アーム７６としては、特定上流側フィン４１及び各通常上流側フィン４２〜４５に共通するものが用いられている。各アーム７６は、各上流側フィン４１〜４５が略水平状態にされたとき（図５参照）、いずれも下流側ほど高くなるように傾斜する。
【００６３】
図２及び図５に示すように、各アーム７６の下流端からは、ピン７７が第２方向（左右方向）についての外方へ突出している。各アーム７６におけるフィン軸４７〜５１からピン７７までの軸間距離は、特定上流側フィン４１及び通常上流側フィン４２〜４５で共通している。アーム７６毎のピン７７は、ケース１０の第１壁部２１の外方近傍に配置され、かつ第１方向（上下方向）に延びる連結ロッド７８によって連結されている。そして、これらの上流側フィン４１〜４５、フィン軸４７〜５１、アーム７６、ピン７７及び連結ロッド７８によってリンク機構７５が構成されている。
【００６４】
前記のようにして本実施形態の空調用レジスタが構成されている。次に、この空調用レジスタの作用について説明する。
この空調用レジスタでは、図１及び図７に示すように、空調用空気Ａは、上流側フィン４１〜４５及び両下流側フィン３１，３２に沿うことで流れ方向を変えられた後、ケース１０の吹出口１４から吹き出す。
【００６５】
ここで、一般に、空調用レジスタでは、ケース１０内に配置された部品は、吹出口１４の実開口面積を小さくする要因となり得る。実開口面積は、吹出口１４での空調用空気Ａの通風方向に直交する面において、上記各部品が投影されていない箇所の面積である。操作ノブ７０（本体部７２）の動きを特定上流側フィン４１に伝達する部位も、実開口面積を小さくする要因の１つとなり得る。そして、実開口面積が小さくなるに従い通風抵抗が増し、圧力損失が増大したり、騒音が発生したりする。従って、こうした圧力損失や騒音を抑制するうえでは、吹出口１４での空調用空気Ａの通風方向に直交する面において、ケース１０内の部品が投影される面（投影面）を小さくすることが重要である。
【００６６】
この点、本実施形態の空調用レジスタでは、伝達軸部６２を上下から挟み込む一対のフォーク部７１によって操作ノブ７０の第１方向（上下方向）の動きが特定上流側フィン４１に伝達される。両フォーク部７１は、伝達軸部６２を挟み込むだけのものであり、下流側フィン３２の長さ方向（略第１方向：略上下方向）についても厚み方向（第２方向：左右方向）についても小さい。これに伴い、フォーク部７１の投影面も小さくなり、フォーク部７１による実開口面積の減少が少なくなる。空調用空気Ａが通風路２０を通過する際のフォーク部７１による抵抗（通風抵抗）が小さくなる。
【００６７】
上記操作ノブ７０の下流端に対し、下流側フィン３２の厚み方向（第２方向：左右方向）へ向かう力が加えられると、同下流側フィン３２が両支軸３３を支点として同方向へ傾動させられる。この下流側フィン３２の傾動は、連結軸３４及び下流側連結ロッド３５を介して下流側フィン３１の連結軸３４に伝達される。この伝達により、下流側フィン３１が上記下流側フィン３２に連動して傾動させられる。
【００６８】
この際、両フォーク部７１が特定上流側フィン４１の伝達軸部６２を略上下から挟み込んだ状態で、同伝達軸部６２に沿って移動する。そのため、両フォーク部７１の動きは伝達軸部６２に伝達されない。従って、特定上流側フィン４１はもちろんのこと、全ての通常上流側フィン４２〜４５も傾動させられない。空調用空気Ａは、傾動させられた下流側フィン３１，３２に沿うことで第２方向（左右方向）についての流れ方向を変えられる。
【００６９】
次に、操作ノブ７０が下流側フィン３２に沿って、同下流側フィン３２の長さ方向（略第１方向：略上下方向）へスライド操作された場合の作用について、（ｉ）操作ノブ７０が通常可動領域Ｒ１でスライド操作された場合と、（ii）操作ノブ７０が特定可動領域Ｒ２でスライド操作された場合とに分けて説明する。
【００７０】
（ｉ）操作ノブ７０が通常可動領域Ｒ１でスライド操作された場合
図７及び図１１は、操作ノブ７０が通常可動領域Ｒ１の中間部に位置しているときの空調用レジスタの状態を示している。このときの操作ノブ７０の位置を「基準位置」というものとする。操作ノブ７０が基準位置にあるときには、各上流側フィン４１〜４５がいずれも略水平な状態（両第２壁部２２に略平行な状態）となっている。このときの各上流側フィン４１〜４５の位置を「中立位置」というものとする。空調用空気Ａは、特定上流側フィン４１、通常上流側フィン４２〜４５及び両第２壁部２２に沿って略水平方向に流れる。
【００７１】
また、このときには、上流側フィン４１〜４５毎のアーム７６が下流側ほど高くなる傾斜状態となっている。
図１２〜図１４は、上記基準位置から操作ノブ７０が下流側フィン３２に沿って略上方へスライド操作された場合の空調用レジスタの状態を示している。
【００７２】
操作ノブ７０の上記スライド操作に伴い、両フォーク部７１が略上方へ移動（上動）させられる。伝達体６０の伝達軸部６２に対し、移動方向後側（下側）のフォーク部７１が接触し、同伝達軸部６２を上方へ押圧する。この際、伝達体６０は、一対の傾動板部６１、両傾動板部６１間の伝達軸部６２、及び傾動板部６１毎の支軸６３が一体となった状態で作動する。
【００７３】
すなわち、上記のように伝達軸部６２が下側のフォーク部７１によって押圧されると、同フォーク部７１から伝達軸部６２に加わる押圧力は両傾動板部６１に伝達される。この伝達により、伝達体６０が傾動板部６１毎の両支軸６３を支点として上方へ傾動させられる。なお、フォーク部７１の上記上動に伴い、伝達軸部６２のフォーク部７１との接触箇所は上流側へ変化する。伝達体６０の傾動は、長孔６４（被係合部）及び係合突部５７（係合部）を介してフィン本体５４に伝達される。この伝達により、フィン本体５４（特定上流側フィン４１）がフィン軸４７を支点として上記中立位置から上方へ傾動させられる。
【００７４】
このように、操作ノブ７０の略上方への直線運動が、特定上流側フィン４１のフィン軸４７を支点とした上方への傾動運動（回転運動）に変換される。フィン本体５４（特定上流側フィン４１）の上記傾動に伴い係合突部５７が長孔６４内の上流側へ移動する。また、フィン軸４７が切欠き部６５の奥部へ移動する。
【００７５】
また、特定上流側フィン４１の上記傾動は、リンク機構７５を介して全ての通常上流側フィン４２〜４５に伝達される。すなわち、特定上流側フィン４１の上方への上記傾動に伴い、アーム７６がフィン軸４７を支点として上方へ傾動し、ピン７７がフィン軸４７の周りを上方へ旋回する。特定上流側フィン４１（アーム７６）のピン７７の動き（旋回）は、連結ロッド７８を介して、全ての通常上流側フィン４２〜４５（アーム７６）のピン７７に伝達される。通常上流側フィン４２〜４５（アーム７６）毎のピン７７がフィン軸４８〜５１の周りを上方へ旋回する。これらの旋回により、各アーム７６の傾きが急峻となる。
【００７６】
その結果、特定上流側フィン４１に連動して、全ての通常上流側フィン４２〜４５がフィン軸４８〜５１を支点として上記中立位置から上方へ傾動させられ、下流側ほど高い傾斜状態となる。そのため、空調用空気Ａは、特定上流側フィン４１及び各通常上流側フィン４２〜４５に沿って流れることで、流れ方向を斜め上方へ変えられる。
【００７７】
なお、上記図１２〜図１４の位置から操作ノブ７０が下流側フィン３２に沿って略下方へスライド操作された場合には、各上流側フィン４１〜４５は、上記とは逆の動作を行なう。
【００７８】
一方、図１５〜図１７は、上記図１２〜図１４とは逆に、上記基準位置（図７参照）から操作ノブ７０が略下方へスライド操作された場合の空調用レジスタの状態を示している。
【００７９】
操作ノブ７０の上記スライド操作に伴い、両フォーク部７１が略下方へ移動（下動）させられる。特定上流側フィン４１の伝達軸部６２が、移動方向後側（上側）のフォーク部７１によって略下方へ押圧される。
【００８０】
上側のフォーク部７１から伝達軸部６２に加わる押圧力は両傾動板部６１に伝達される。この伝達により、伝達体６０が両支軸６３を支点として下方へ傾動させられる。なお、フォーク部７１の上記下動に拘わらず、伝達軸部６２のフォーク部７１との接触箇所はほとんど変化しない。両傾動板部６１の傾動は、長孔６４（被係合部）及び係合突部５７（係合部）を介してフィン本体５４に伝達される。この伝達により、フィン本体５４（特定上流側フィン４１）がフィン軸４７を支点として上記中立位置から下方へ傾動させられる。
【００８１】
また、特定上流側フィン４１の上記傾動に伴い、アーム７６がフィン軸４７を支点として下方へ傾動し、ピン７７がフィン軸４７の周りを下方へ旋回する。特定上流側フィン４１（アーム７６）のピン７７の動き（旋回）は、連結ロッド７８を介して、全ての通常上流側フィン４２〜４５（アーム７６）のピン７７に伝達される。通常上流側フィン４２〜４５（アーム７６）毎のピン７７がフィン軸４８〜５１の周りを下方へ旋回し、各アーム７６の傾きが緩やかとなる。
【００８２】
その結果、特定上流側フィン４１に連動して、全ての通常上流側フィン４２〜４５がフィン軸４８〜５１を支点として上記中立位置から下方へ傾動させられ、下流側ほど低い傾斜状態となる。そのため、空調用空気Ａは、特定上流側フィン４１及び各通常上流側フィン４２〜４５に沿って流れることで、流れ方向を斜め下方へ変えられる。
【００８３】
なお、上記図１５〜図１７の位置から操作ノブ７０が下流側フィン３２に沿って略上方へスライド操作された場合には、各上流側フィン４１〜４５は、上記とは逆の動作を行なう。
【００８４】
ところで、操作ノブ７０が操作されて、空調用空気Ａの流れ方向が調整されるときには、第１通常上流側フィン４２，４３は、下流側ほど特定上流側フィン４１に上側から近づくように、同特定上流側フィン４１に対し傾斜させられる。また、隣接通常上流側フィン４４及び第２通常上流側フィン４５は、下流側ほど特定上流側フィン４１に下側から近づくように、同特定上流側フィン４１に対し、第１通常上流側フィン４２，４３とは反対側から傾斜させられる。そのため、第１通常上流側フィン４２，４３に沿って流れる空調用空気Ａは、特定上流側フィン４１に沿って流れる空調用空気Ａに収束される。また、隣接通常上流側フィン４４及び第２通常上流側フィン４５に沿って流れる空調用空気Ａは、特定上流側フィン４１に沿って流れる空調用空気Ａに対し、上記第１通常上流側フィン４２，４３に沿って流れる空調用空気Ａとは反対側から収束される。このように収束された空調用空気Ａは、全ての通常上流側フィン４２〜４５が特定上流側フィン４１に対し平行に配置されたものに比べ、ケース１０から早い流速で吹き出すとともに、ケース１０から遠く離れた箇所まで流れる。
【００８５】
（ii）操作ノブ７０が特定可動領域Ｒ２でスライド操作された場合
この場合にも、基本的には、上述した操作ノブ７０が通常可動領域Ｒ１でスライド操作された場合と同様に、リンク機構７５が作動する。
【００８６】
操作ノブ７０が特定可動領域Ｒ２の下端までスライド操作されると、空調用レジスタは、図１８〜図２０に示す状態になる。この状態では、伝達軸部６２のフォーク部７１との接触箇所は上流側へ変化する。係合突部５７は長孔６４の上流側部分に位置する。フィン軸４７が切欠き部６５から上方へ離脱する。各アーム７６が下流側ほど低くなるように傾斜する。これに伴い、上流側フィン４１〜４５が通風方向に対し略直交した状態にされる。
【００８７】
傾動方向後側の上流側フィン４１〜４４の下流部分が、傾動方向前側の上流側フィン４１，４３〜４５の上流部分に重ね合わされる。通風路２０が全ての上流側フィン４１〜４５によって略閉鎖された状態となり、空調用空気Ａの吹出口１４からの吹き出しが大きく規制される。
【００８８】
なお、上記図１８〜図２０の位置から操作ノブ７０が下流側フィン３２に沿って略上方へスライド操作された場合には、各上流側フィン４１〜４５は、上記とは逆の動作を行なう。
【００８９】
ここで、比較例として、特定上流側フィン４１がフィン本体５４及び伝達体６０に分割されておらず、伝達軸部６２がピン７７及び係合突部５７と同一軸線上に位置していてフィン軸４７を支点として傾動するものを想定する。この場合には、通風路２０を上流側フィン４１〜４５によって閉鎖する際、閉鎖しないもの（流れ方向を調整するのみのもの）よりも、操作ノブ７０を大きくスライド操作して、フォーク部７１によって伝達軸部６２をフィン軸４７の周りで大きく旋回させることで、特定上流側フィン４１を大きく傾動させる必要がある。この場合、フィン軸４７の周りで伝達軸部６２を旋回させようとする力よりも、同伝達軸部６２をフィン軸４７側へ押付けようとする力が強くなる。そのため、操作ノブ７０を大きな操作荷重でスライド操作しなければならなくなる。
【００９０】
この点、特定上流側フィン４１が図１４、図１７及び図２０に示すように、フィン本体５４及び伝達体６０に分割されている本実施形態では、伝達体６０の支軸６３がフィン本体５４のフィン軸４７から偏倚した箇所に位置していることから、操作ノブ７０をスライド操作した場合、伝達軸部６２は支軸６３の周りでもフィン軸４７の周りでも旋回する。また、図２１に示すように、上記支軸６３はフィン軸４７よりも上流側に位置していることから、支軸６３周りでの伝達軸部６２の旋回角度γは、フィン軸４７周りでの伝達軸部６２（ピン７７、係合突部５７）の旋回角度δよりも小さくなる。従って、フォーク部７１の少ない移動量で、伝達軸部６２（ピン７７、係合突部５７）を支軸６３の周りで小さな旋回角度γ旋回させ、ピン７７（係合突部５７）をフィン軸４７の周りで大きな旋回角度δ旋回させることができる。フィン軸４７を支点としてアーム７６及びフィン本体５４を大きな角度傾動させて、通風路２０を閉鎖することが可能となる。操作ノブ７０の移動量が少なくてすむことから、同操作ノブ７０を特定可動領域Ｒ２でスライド操作する際の操作荷重が小さくなる。また、操作ノブ７０を通常可動領域Ｒ１でスライド移動させる場合と、特定可動領域Ｒ２でスライド操作させる場合とで操作荷重の差が少なくなる。
【００９１】
また、本実施形態では図６（Ａ），（Ｂ）に示すように、第１通常上流側フィン４２，４３のフィン軸４８，４９が第１傾斜線Ｌ２１上に配置され、第２通常上流側フィン４５のフィン軸５１が第２傾斜線Ｌ２２上に配置されている。このことから、通風路２０の上記閉鎖時には、第１通常上流側フィン４２，４３及び第２通常上流側フィン４５は、全てのフィン軸４７〜５１が同一直線上に配置された場合とは異なる挙動を示す。
【００９２】
すなわち、全てのフィン軸４７〜５１が同一直線上に配置された場合には、第１通常上流側フィン４２，４３と第２通常上流側フィン４５とが特定上流側フィン４１に対し互いに反対方向へ傾斜させられている。このことから、特定上流側フィン４１とその隣の第１通常上流側フィン４３との間や、隣り合う２つの第１通常上流側フィン４２，４３の間に生ずる隙間の大きさと、特定上流側フィン４１と隣接通常上流側フィン４４との間や、隣接通常上流側フィン４４と第２通常上流側フィン４５との間に生ずる隙間の大きさとが異なる。
【００９３】
しかし、フィン軸４７〜５１が上記図６（Ａ），（Ｂ）に示す箇所に配置されることにより、すなわち、基準線Ｌ０よりも下流側に配置されることにより、隣り合う上流側フィン４１〜４５が互いに接触又は接近する位置まで傾動された場合に、上記隙間の大きさが同程度となる。その結果、通風路２０の封鎖時には、図１８に示すように、隣り合う上流側フィン４１〜４５の間で生ずる隙間は極めて小さなものとなる。これは、フィン軸４８，４９，５１が基準線Ｌ０よりも下流側へ偏倚した箇所に配置されることで、上述した上流側フィン４１〜４５間の隙間が相殺されるからである。
【００９４】
従って、特定上流側フィン４１よりも上側の２つの第１通常上流側フィン４２，４３を、互いに接触又は接近する位置まで傾動させた場合、特定上流側フィン４１とその下側の隣接通常上流側フィン４４との間や、同隣接通常上流側フィン４４と第２通常上流側フィン４５との間に生ずる隙間が小さく、空調用空気Ａが隙間から漏れ出にくい。また、上記とは逆に、隣接通常上流側フィン４４及び第２通常上流側フィン４５を、互いに接触又は接近する位置まで傾動させようとした場合に、特定上流側フィン４１とその隣の第１通常上流側フィン４３とが干渉したり、上側の２つの第１通常上流側フィン４２，４３が互いに干渉したりすることが起こりにくい。
【００９５】
さらに、上流側へ延びる一対のフォーク部７１によって挟み込まれた伝達軸部６２がフィン本体５４に近い箇所に位置していると、操作ノブ７０をスライドさせた場合に、フォーク部７１がフィン本体５４と干渉するおそれがある。この点、本実施形態では、伝達軸部６２がフィン本体５４よりも下流側に位置していることから、フォーク部７１が伝達軸部６２を挟み込む箇所がフィン本体５４から下流側へ遠ざけられ、フォーク部７１のフィン本体５４との干渉が抑制される。
【００９６】
以上詳述した本実施形態によれば、次の効果が得られる。
（１）第１通常上流側フィン４２，４３を、下流側ほど特定上流側フィン４１に近づくように同特定上流側フィン４１に対し第１傾斜角度θ１だけ傾斜させた状態で配設する。また、隣接通常上流側フィン４４及び第２通常上流側フィン４５を下流側ほど特定上流側フィン４１に近づくように同特定上流側フィン４１に対し第２傾斜角度θ２だけ傾斜させた状態で配設する（図６（Ａ））。
【００９７】
そのため、空調用空気Ａの通風方向の調整時には、通常上流側フィン４２〜４５に沿って流れる空調用空気Ａを、特定上流側フィン４１に沿って流れる空調用空気Ａに収束させることができる。
【００９８】
その結果、空調装置から空調用レジスタに供給される空調用空気の量（風量）が同一であるとの条件のもと、全ての通常フィンが特定フィンに平行に配置された空調用レジスタに比べ、次の点で有利である。
【００９９】
・空調用レジスタから一定距離離れた箇所では、吹出口１４から吹き出される空調用空気の流速が速い。
・空調用空気が空調用レジスタの吹出口１４からより遠く離れた地点に到達する。
【０１００】
上記両効果が得られることから、乗員は空調用空気のより強い流れ（風）を受けることができる。
また、全ての通常フィンが特定フィンに平行に配置された空調用レジスタにおいて上記両効果を得るには、風量を多くして対応することとなる。しかし、風量が多くなるに従い、空調装置が多くの電力を必要とし、また、空調装置の作動に伴う騒音が大きくなる懸念がある。
【０１０１】
この点、上記実施形態では、上述したように空調用空気Ａの流速が速くなり、到達距離が長くなることから、風量を多くしなくてすむ。空調装置の作動に必要な電力が少なくてすみ、作動に伴う騒音の増大を抑制することができる。
【０１０２】
（２）第１通常上流側フィン４２，４３のフィン軸４８，４９を、特定上流側フィン４１のフィン軸４７を通り、かつ基準線Ｌ０に対し第１傾斜角度θ１に応じた角度だけ下流側へ傾斜した第１傾斜線Ｌ２１上に配置する。また、第２通常上流側フィン４５のフィン軸５１を、隣接通常上流側フィン４４のフィン軸５０を通り、かつ基準線Ｌ０に対し第２傾斜角度θ２に応じた角度だけ下流側へ傾斜した第２傾斜線Ｌ２２上に配置している（図６（Ａ），（Ｂ））。
【０１０３】
そのため、通風路２０の閉鎖時には、隣り合う上流側フィン４１〜４５間の隙間を均等に小さくし、それらの隙間から空調用空気Ａが漏れ出るのを抑制することができる。
（３）第１傾斜線Ｌ２１を、基準線Ｌ０に対し第１傾斜角度θ１と同じ角度だけ下流側へ傾斜させる。また、第２傾斜線Ｌ２２を、基準線Ｌ０に対し第２傾斜角度θ２と同じ角度だけ下流側へ傾斜させている。
【０１０４】
そのため、通風路２０の閉鎖時に、特定上流側フィン４１とその隣の第１通常上流側フィン４３との間の隙間や、隣り合う第１通常上流側フィン４２，４３間の隙間を最小にし、それらの隙間から漏れ出る空調用空気Ａを最少にすることができる。
【０１０５】
また、通風路２０の閉鎖時に、特定上流側フィン４１と隣接通常上流側フィン４４との間の隙間や、同隣接通常上流側フィン４４と第２通常上流側フィン４５との間の隙間を最小にし、それらの隙間から漏れ出る空調用空気Ａの量を最少にすることができる。
【０１０６】
なお、上記実施形態は、これを以下のように変更した変形例として実施することもできる。
＜下流側フィン群について＞
・下流側フィン群は、１つ又は３つ以上の下流側フィンによって構成されてもよい。
【０１０７】
・下流側フィン群が４つ以上の下流側フィンからなる場合、上流側フィン群に代え、又は加え、下流側フィン群において、複数のフィンのうちの１つが特定フィンとされ、残りのフィンが通常フィンとされてもよい。
【０１０８】
この場合、上記実施形態と同様に、隣接通常フィン、第１通常フィン、第２通常フィン、基準線、第１傾斜角度、第２傾斜角度、第１傾斜線及び第２傾斜線が設定される。
このように、特定フィン及び通常フィンの対象が変更された場合にも上記実施形態と同様の効果が得られる。
【０１０９】
＜特定上流側フィン（特定フィン）について＞
・並設方向についての中間部分の１つのフィンであることを条件として、上流側フィン群のうち、上記実施形態とは異なるフィン、すなわち、並設方向についての中央のフィンとは異なるフィンが特定上流側フィン（特定フィン）とされてもよい。
【０１１０】
＜通常上流側フィン４２〜４５について＞
・第１通常上流側フィン４２，４３は、複数であることを条件に、上記実施形態とは異なる数に変更されてもよい。この場合、第１通常上流側フィン４２，４３毎に第１傾斜角度θ１が設定されてもよい。ただし、第１通常上流側フィン４２，４３毎のフィン軸４８，４９は、特定上流側フィン４１のフィン軸４７を通り、かつ基準線Ｌ０に対し、自身の第１傾斜角度θ１に応じた角度だけ下流側へ傾斜した第１傾斜線Ｌ２１上に配置される。
【０１１１】
このようにすると、複数の第１通常上流側フィン４２，４３について、第１通常上流側フィン４２，４３毎に第１傾斜角度θ１が設定される。そのため、複数の第１通常上流側フィン４２，４３に共通の第１傾斜角度θ１が設定される場合（上記実施形態がこれに該当する）よりも、各第１通常上流側フィン４２，４３を、より適した傾きで特定上流側フィン４１に対し傾斜させることが可能となる。これに伴い、各第１通常上流側フィン４２，４３に沿って流れる空調用空気Ａを、特定上流側フィン４１に沿って流れる空調用空気Ａに対し、より好適な態様で収束させ、空調用空気Ａの流速や到達距離をより好適なものにすることが可能となる。
【０１１２】
また、第１通常上流側フィン４２，４３毎のフィン軸４８，４９は、それぞれ特定上流側フィン４１のフィン軸４７を通り、かつ基準線Ｌ０に対し、自身の第１傾斜角度θ１に応じた角度だけ下流側へ傾斜した第１傾斜線Ｌ２１上に配置される。このことから、通風路２０の閉鎖時には、隣り合う第１通常上流側フィン４２，４３の間に生ずる隙間を小さくし、同隙間から空調用空気Ａが漏れ出るのを抑制することが可能となる。
【０１１３】
・また、第２通常上流側フィン４５は、複数であることを条件に、上記実施形態とは異なる数に変更されてもよい。この場合、第２通常上流側フィン４５毎に第２傾斜角度θ２が設定されてもよい。ただし、第２通常上流側フィン４５毎のフィン軸５１は、隣接通常上流側フィン４４のフィン軸５０を通り、かつ基準線Ｌ０に対し、自身の第２傾斜角度θ２に応じた角度だけ下流側へ傾斜した第２傾斜線Ｌ２２上に配置される。
【０１１４】
このようにすると、複数の第２通常上流側フィン４５について、第２通常上流側フィン４５毎に第２傾斜角度θ２が設定される。そのため、複数の第２通常上流側フィン４５に共通の第２傾斜角度θ２が設定される場合よりも、各第２通常上流側フィン４５を、より適した傾きで特定上流側フィン４１に対し傾斜させることが可能となる。これに伴い、各第２通常上流側フィン４５に沿って流れる空調用空気Ａを、特定上流側フィン４１に沿って流れる空調用空気Ａに対し、より好適な態様で収束させ、空調用空気Ａの流速や到達距離をより好適なものにすることが可能となる。
【０１１５】
また、第２通常上流側フィン４５毎のフィン軸５１は、それぞれ隣接通常上流側フィン４４のフィン軸５０を通り、かつ基準線Ｌ０に対し、自身の第２傾斜角度θ２に応じた角度だけ下流側へ傾斜した第２傾斜線Ｌ２２上に配置される。このことから、通風路２０の閉鎖時には、隣り合う第２通常上流側フィン４５の間に生ずる隙間を小さくし、同隙間から空調用空気Ａが漏れ出るのを抑制することが可能となる。
【０１１６】
・特定フィンの下側に隣接する通常フィンに代えて、上側に隣接する通常フィンが隣接通常フィンとされてもよい。この場合、第１通常フィンと第２通常フィンとの位置関係が上記実施形態とは逆になる。すなわち、特定フィンを挟んで隣接通常フィンから遠ざかる側（下側）に位置する通常フィンが第１通常フィンとされる。また、隣接通常フィンを挟んで特定フィンから遠ざかる側（上側）に位置する通常フィンが第２通常フィンとされる。
【０１１７】
・第１傾斜線Ｌ２１は、基準線Ｌ０に対し第１傾斜角度θ１に近似した角度だけ下流側へ傾斜するものであってもよい。
また、第２傾斜線Ｌ２２は、基準線Ｌ０に対し第２傾斜角度θ２に近似した角度だけ下流側へ傾斜するものであってもよい。
【０１１８】
＜アーム７６について＞
・アーム７６は、フィン軸４７〜５１に対し直交する方向へ延びることを条件に、上記実施形態とは異なる方向へ延びるものであってもよい。
【０１１９】
＜係合部及び被係合部について＞
・伝達体６０に設けられる被係合部として、傾動板部６１を貫通する上記長孔６４に代えて、傾動板部６１の内側の面において開口する凹部が設けられ、この凹部にフィン本体５４の係合突部５７が係合されてもよい。
【０１２０】
・上記実施形態とは逆に、フィン本体５４に、係合部として孔又は凹部が設けられ、伝達体６０に、被係合部として係合突部が設けられ、係合部が被係合部に係合されることで、フィン本体５４が伝達体６０に駆動連結されてもよい。
【０１２１】
＜適用箇所について＞
・上記空調用レジスタは、車室内においてインストルメントパネルとは異なる箇所、例えばダッシュボードに設けられる空調用レジスタにも適用可能である。
【０１２２】
・上記空調用レジスタは、空調装置から送られてきて室内に吹き出す空調用空気の向きを調整し、フィンによって吹き出しを遮断することのできるものであれば、車両に限らず広く適用可能である。
【０１２３】
＜その他＞
・上記空調用レジスタは、吹出口１４が横長となるように配置される薄型の空調用レジスタにも適用可能である。この場合、車幅方向（左右方向）が第１方向となり、上下方向が第２方向となる。
【符号の説明】
【０１２４】
１０…ケース、２０…通風路、４１…特定上流側フィン（特定フィン）、４２，４３…第１通常上流側フィン（第１通常フィン）、４４…隣接通常上流側フィン（隣接通常フィン）、４５…第２通常上流側フィン（第２通常フィン）、４７，４８，４９，５０，５１…フィン軸、７５…リンク機構、Ａ…空調用空気、Ｌ０…基準線、Ｌ２１…第１傾斜線、Ｌ２２…第２傾斜線、θ１…第１傾斜角度、θ２…第２傾斜角度。
【図１】
2014088102.tif 000003
【図２】
2014088102.tif 000004
【図３】
2014088102.tif 000005
【図４】
2014088102.tif 000006
【図５】
2014088102.tif 000007
【図６】
2014088102.tif 000008
【図７】
2014088102.tif 000009
【図８】
2014088102.tif 000010
【図９】
2014088102.tif 000011
【図１０】
2014088102.tif 000012
【図１１】
2014088102.tif 000013
【図１２】
2014088102.tif 000014
【図１３】
2014088102.tif 000015
【図１４】
2014088102.tif 000016
【図１５】
2014088102.tif 000017
【図１６】
2014088102.tif 000018
【図１７】
2014088102.tif 000019
【図１８】
2014088102.tif 000020
【図１９】
2014088102.tif 000021
【図２０】
2014088102.tif 000022
【図２１】
2014088102.tif 000023
【図２２】
2014088102.tif 000024